(57)【特許請求の範囲】
【請求項１】
廃プラスチックを加熱して熱分解させる廃プラスチックの油化還元装置において、廃プラスチックを投入するホッパーを有する槽本体と、この槽本体の内部に、当該槽本体内にて相互に連通し合う上下方向に複数段の加熱管を設け、かつ上部に位置している加熱管が、熱風発生装置と接続し、下部に位置している加熱管が、槽本体の外部に連通している煙突と接続することにより、槽本体が、上方の熱分解部分と下方の溶解部分とを備えており、槽本体の上側から下側になるに従って、水平方向幅が順次狭くなっていることに基づく廃プラスチックの油化還元装置。
【請求項２】
廃プラスチックを投入するホッパーを槽本体の上側に設けたことを特徴とする請求項１記載の廃プラスチックの油化還元装置。
【請求項３】
ホッパーの下位から他の位置に搬送プラスチックを搬送するスクリューコンベアを設けたことを特徴とする請求項２記載の廃プラスチックの油化還元装置。
【請求項４】
廃プラスチックを投入するホッパーを、槽本体の側面と接続させた状態にて設けていることを特徴とする請求項１記載の廃プラスチックの油化還元装置。
【請求項５】
ホッパーから槽本体に向けて廃プラスチックを搬送するスクリューコンベアを設けたことを特徴とする請求項４記載の廃プラスチックの油化還元装置。
【請求項６】
槽本体内において、ホッパーの入口付近から、当該入口と相対する側面方向に向けて、廃プラスチックを搬送するスクリューコンベアを設けたことを特徴とする請求項２記載の廃プラスチックの油化還元装置。
【請求項７】
槽本体内において、ホッパーの入口付近を通過し、投入された廃プラスチックを、槽本体内に搬送する回転翼を設けたことを特徴とする請求項２記載の廃プラスチックの油化還元装置。
【請求項８】
１本の連続管を、上下方向にジグザグ状に折曲することによって、槽本体内に、複数段の加熱管を設けることを特徴とする請求項１記載の廃プラスチックの油化還元装置。
【請求項９】
槽本体に対し、熱風発生装置が配置されている側及びその反対側に、夫々加熱管の入口及び出口が存在し、かつ槽本体の外側に位置し、しかも外板によって囲まれている保温部による空間と前記入口及び出口とが連通していることを特徴とする請求項１記載の廃プラスチックの油化還元装置。
【請求項１０】
煙突が、塩素ガスを中和するスクラバーに接続し、該スクラバーは、冷却装置と連動するコンデンサーに接続し、該コンデンサーは、油水分離槽に接続していることを特徴とする請求項１記載の廃プラスチックの油化還元装置。
【請求項１１】
油水分離槽がフィルターを介して、貯蔵タンク及び熱風発生装置と接続していることを特徴とする請求項１０記載の廃プラスチックの油化還元装置。
【請求項１２】
熱分解によって発生した分解ガスが接触する壁面を耐熱性を有する液状化ガラスによりコーティングしたことを特徴とする請求項１記載の廃プラスチックの油化還元装置。
【請求項１３】
液状化ガラスを重ね塗りし、多層のガラス槽を設けることによりコーティングすることを特徴とする請求項１２記載の廃プラスチックの油化還元装置。
【請求項１４】
上側における熱分解部分の加熱管の径を他の部分の加熱管の径よりも大きく設計したことを特徴とする請求項１記載の廃プラスチックの油化還元装置。
【請求項１５】
上側における熱分解部分において加熱管を水平方向にジグザグ状に折曲させていることを特徴とする請求項１記載の廃プラスチックの油化還元装置。
【発明の詳細な説明】
【０００１】
【発明の属する技術分野】
本発明は廃プラスチックを再資源化するための廃プラスチックの油化還元装置に関する。
【０００２】
【従来の技術】
従来、廃プラスチック（高分子廃棄物）を加熱して熱分解した後、重油（Ａ重油相当）に還元する油化還元装置は知られている。
【０００３】
この種の油化還元装置は、ポリエチレン，ポリステロール，塩化ビニル等の固形の廃プラスチックを比較的低温となる２５０℃（塩化ビニルは７０℃）前後で加熱する溶解槽により溶解させ、この後、４００℃（塩化ビニルは１７０℃）前後の高温に加熱した熱分解槽によって溶解した廃プラスチックを熱分解させるとともに、気化した分解ガスを冷却して重油を得る。なお、固形の廃プラスチックを熱分解槽に直接投入した場合には、廃プラスチックが炭化し、還元効率が大きく低下するのみならず、炭化物の処理が大変となるため、溶解槽を設けることにより、最初に固形の廃プラスチックを溶解させている。
【０００４】
【発明が解決しようとする課題】
しかし、上述した従来における廃プラスチックの油化還元装置は、次のような解決すべき課題が存在した。
【０００５】
第一に、熱分解槽に加えて別途の溶解槽が必要になるため、装置全体の複雑化及び大型化、さらには大幅なコストアップを招くとともに、メンテナンス性においても著しく不利になる。
【０００６】
第二に、廃プラスチックに対する処理速度が遅くなり、重油の生産性が低下するとともに、生産時の経済性に劣る。
【０００７】
尚、上方の熱分解部分と下方の溶解部分との間には、廃プラスチックが溶解状態から熱分解状態に移行する中間状態に相応する部分が存在することになる。
【０００８】
本発明はこのような従来の技術に存在する課題を解決したものであり、装置全体の単純化及び小型コンパクト化を実現し、大幅なコストダウンとメンテナンスの容易化を図るとともに、生産性及び経済性を飛躍的に高めることができる廃プラスチックの油化還元装置の提供を目的とする。
【０００９】
【課題を解決するための手段及び実施の形態】
以上の課題を解決するため、本発明の構成は、廃プラスチックを加熱して熱分解させる廃プラスチックの油化還元装置において、廃プラスチックを投入するホッパーを有する槽本体と、この槽本体の内部に、当該槽本体内にて相互に連通し合う上下方向に複数段の加熱管を設け、かつ上部に位置している加熱管が、熱風発生装置と接続し、下部に位置している加熱管が、槽本体の外部に連通している煙突と接続することにより、槽本体が、上方の熱分解部分と下方の溶解部分とを備えており、槽本体の上側から下側になるに従って、水平方向幅が順次狭くなっていることに基づく廃プラスチックの油化還元装置からなる。
【００１０】
【作用】
図１は、本発明の基本構成を示すが、当該図面に示すように、本発明では、加熱管を槽本体３の上下方向に複数段設け、かつ上部の加熱管が、熱風発生装置２１と接続し、下部の加熱管が、外部に連通している煙突２２に接続していることを特徴としている。
【００１１】
これによって、上側の加熱管に対し、下側の加熱管の温度は低い温度に設定することが可能であり、更には、下側の加熱管を廃プラスチックが溶解する温度（塩化ビニルの場合には約７０℃、他のプラスチックの場合には約２５０℃）とし、上側の加熱管について、溶解した廃プラスチックＬが、熱分解する温度（塩化ビニルの場合には約１７０℃、他のプラスチックの場合には約４００℃）となるように設定することができる。なお、図１では、最上部の加熱管が熱風発生装置２１と接続し、最下部の加熱管が、煙突２２と接続しているが、本発明においては、必ずしも前記接続は最上部及び最下部であることは必要ではなく、前記のように、槽本体３内において、プラスチックの溶解温度及び熱分解温度が得られるように、上部の加熱管及び下部の加熱管について、前記各接続を行えばよい。
【００１２】
前記の如き熱分解による分解ガスは、途中の中和工程及び冷却工程に向けて、重油に変化することになる。
【００１３】
このような作用を伴う本発明においては、前記の如き従来技術の欠点を克服し、かつ単純及び小型コンパクトな装置を設定することが可能であり、ひいては、プラスチックの油化還元工程の生産性及び経済性を飛躍的に高めることができる。
【００１４】
本願発明においては、槽本体の上側から下側となるに従って、水平方向幅が狭くなっている形状を採用しているが、これは、油化還元装置全体が作動していない段階においても、溶解した廃プラスチックＬを底面部下側から保温する場合、底面部の面積を小さく設計することによって、保温に要する熱量を小さくすること、
及び、装置が作動している段階において、溶解した廃プラスチックＬが、溶解状態から熱分解状態と化すに従って、比重が低下し、上昇して行く際、体積が膨張してゆくことを考慮したことに由来している。
以下実施例に従って、本発明の具体的構成について説明する。
【００１５】
【実施例１】
図１は、廃プラスチックを投入するホッパー１２を、槽本体の上側に設けた構成による実施例を示す。
【００１６】
実施例１では上側から下側となるに従って、水平方向幅が狭くなっている形状として、図２に示すように、半円形の両端面３ｓ、３ｔを有する半円筒形に形成している。
【００１７】
そして、下方に配した加熱管４ｃ…の温度は、廃プラスチックＰ…を溶解させる温度に設定するとともに、上方に配した加熱管４ａ…の温度は、溶解した廃プラスチックＬを熱分解させる温度に設定する。
【００１８】
実施例１では、複数の加熱管４ａ…、４ｂ…、４ｃ…は、一本の連続管６…をジグザグ状に折曲することによって形成される複数の直線部により構成し、最上部に配した加熱管４ａ…に熱風を供給するとともに、最下部に配した加熱管４ｃ…から排風する。
【００１９】
この連続管６は、図２に示すように、左右方向に複数本も設けているが、より小型の槽本体の場合には、左右方向に一本とする設計も当然に可能である。
【００２０】
実施例１においては、ホッパー１２から落下して来た廃プラスチックＰを円滑に槽本体に一様に配置し、かつ下方に落下させて、溶解を行わせるために、ホッパー２１の下方から他方に廃プラスチックを搬送するスクリューコンベア７を設けている。
【００２１】
特に実施例１においては、落下した廃プラスチックＰが熱分解による分解ガスと接した状態にて、他の位置に移転させるために、スクリューコンベア７を槽本体の上端側に位置している供給部８と異物回収部９との間に横架し、これによって、スクリューコンベア７の下部７ｄが熱分解状態にあるはプラスチックＬと接した状態となるように設計している。
【００２２】
このようなスクリューコンベア７を設けることによって、ホッパー１２を介して供給部８に投入された固形の廃プラスチックＰは、槽本体３の内部に供給され、かつ下方に落下し、かつ下方に配した比較的低温の加熱管４ｃ…により加熱されて溶解する。
【００２３】
一方、溶解した廃プラスチックＬが増加し、その上面が上方に配した高温の加熱管４ａ…に達すれば、当該加熱管４ａ…により加熱され、熱分解により気化する。
なお、気化した分解ガスは冷却されることにより、重油（Ａ重油相当）に液化される。
【００２４】
また、スクリューコンベア７により溶解した廃プラスチックＬの上面に浮遊する炭化物等の異物は異物回収部９により回収されるとともに、廃プラスチックＬの上面の攪拌と浄化が行われ、分解ガスの発生効率が高められる。
【００２５】
尚、実施例１において設けられている細部の具体的な構成について、図１、図２に即して説明するに、スクリューコンベア７は、回転駆動部１１により回転する。
【００２６】
また、槽本体３における端面３ｓの上部には外方に延出した供給部８を一体に設けるとともに、端面３ｔの上部には外方に延出した異物回収部９を一体に設け、スクリューコンベア７の一側と他側は、それぞれ供給部８及び異物回収部９に収容する。この際、スクリューコンベア７の下部７ｄは溶解した廃プラスチックＬに浸かるように配する。
【００２７】
さらに、供給部８の上部には固形の廃プラスチックＰ…を投入するホッパー１２を設けるとともに、異物回収部９の上部には回収した異物を取出すための取出口１３を設ける、なお、１３ｃは、取出口１３を開閉する開閉蓋である。
【００２８】
また、槽本体３における外面のほぼ全面を外板１４により囲み、外板１４と槽本体３間に密閉された空間Ｓを有する保温部３２を設ける。この保温部３２には後述する加熱装置３１から保温用オイルＣが供給される。この場合、槽本体３の周面３ｆと外板１４間の空間Ｓは保温用オイルＣを満たせばよいため、比較的狭くてよいが、槽本体３の端面３ｓ、３ｔと外板１４間の空間Ｓは、保温用オイルＣを満たすことに加え、後述する連続管６…の湾曲部を収容するため、当該湾曲部を収容できる間隔を確保する。また、１５は槽本体３の上面を覆うカバーであり、カバー１５の中央上端には分解ガスを回収するダクト１６を接続する。このダクト１６は後述するスクラバー５２に接続される。
【００２９】
さらに、槽本体３には加熱機構５を付設する。加熱機構５は槽本体３の内部に設けた複数の水平な加熱管４ａ、４ｂ、４ｃを有する。各加熱管４ａ、４ｂ、４ｃは、当該槽本体３の内面に沿って上下方向に所定間隔毎、望ましくは１０〜１５ｃｍ間隔毎に配する。この場合、各加熱管４ａ、４ｂ、４ｃは一本の連続管６をジグザグ状に折曲することによって形成される複数の直線部により構成する。即ち、ジグザグ状に折曲した連続管６における複数の直線部を槽本体３の内部に配し、かつ湾曲部を上述した外板１４と槽本体３間の空間Ｓに収容する。なお図２では、連続管６を、左右一対の２本配設しているが、このような左右方向の連続管の個数については、特に限定されない点は既に述べた通りである。
【００３０】
一方、最上部に配した加熱管４ａ、４ａの先端開口は、熱風発生装置２１に接続するとともに、最下部に配した加熱管４ｃ、４ｃの先端開口は、ブロアー２３…を付設した煙突２２、２２に接続する。これにより、熱風発生装置２１から供給される熱風は、最上部の加熱管４ａ…に供給された後、中間部の加熱管４ｂ…を通り、この後、最下部の加熱管４ｃ…から外部に排出される。この際、上方に配した加熱管４ａ…の温度に対して下方に配した加熱管４ｃ…の温度は、熱風が連続管６…を通る際の放熱によって次第に低くなる。したがって、最上部に配した加熱管４ａ…の温度が、溶解した廃プラスチックＬを熱分解させる温度になった際に、下方に配した加熱管４ｃ…の温度が、廃プラスチックＰ…を溶解させる温度になるように、連続管６…の径及び長さ（加熱管４ａ…の本数）等の条件を選定する。
【００３１】
なお、加熱管４ａ…の外周面、槽本体３の内面及びスクリューコンベア７の外面等の溶解した廃プラスチックＬ及び分解ガスが接触する壁面は、耐熱性を有する液状化ガラス（常温ガラス）を塗布する。加熱管４ａ…、槽本体３及びスクリューコンベア７等は、通常、スチール等の金属材料により製造されるため、腐食が発生しやすい。特に、廃プラスチックとして塩化ビニルを用いた場合には、発生する塩素により金属の腐食及び酸化がかなりの速度で進行する。このため、加熱管４ａ等の表面を液状化ガラス２５ａ…によりコーティングし、耐薬性、耐食性、耐久性等を高める。この場合、図３に示すように、例えば、加熱管４ａの表面に液状化ガラス２５ａ、２５ｂ…を重ね塗りし、多層のガラス層を設けることが望ましい。
【００３２】
また、熱分解槽２には図５に示す保温装置３０を付設する。保温装置３０は加熱装置３１を備える。加熱装置３１には加熱部３３を備え、この加熱部３３の吐出部は図２及び図５に示すように、バルブ３４を有する配管３５を介して前記保温部３２の上部一側に接続するとともに、加熱部３３の吸入部はバルブ３６を有する配管３７を介して前記保温部３２の上部他側に接続する。これにより、保温用オイルＣは、加熱部３３により加熱された後、配管３５を介して保温部３２を構成する外板１４と槽本体３間の空間Ｓに供給されるとともに、空間Ｓ内の保温用オイルＣは配管３７を介して加熱部３３に戻される加熱循環回路が構成される。なお、３８はバルブ３９を介して加熱部３３に接続したオイルタンク、４０は加熱部３３の運転及び加熱温度等の各種制御を司る制御部、４１は気化した保温用オイルを液化する機能を含むエクステンション部である。
【００３３】
図４は、実施例を含め、熱分解槽２を備える典型的な油化還元装置１の全体構成を示す。同図中、５１は形状の大きな廃プラスチックを小さく砕くためのクラッシャ、５２は塩素ガスを中和するためのスクラバー、５３はスクラバーに付設したＰＨ調整槽、５４は分解ガスを液化するためのコンデンサー、５５はコンデンサー５４を冷却するための冷却機（クーリングタワー）、５６はポンプ、５７は得られた重油と水を分離するための油水分離槽、５８はフィルター、５９は重油の貯蔵タンクである。
【００３４】
実施例の要部を構成する熱分解槽２の機能を含む油化還元装置１の全体動作について、各図を参照して説明する。
【００３５】
まず、熱風発生装置２１により最上部に配した加熱管４ａ、４ａに熱風を供給する。これにより、加熱管４ａ、４ａは４００℃（塩化ビニルは１７０℃）前後に加熱される。また、最下部に配した加熱管４ｃ、４ｃは２５０℃（塩化ビニルの場合は７０℃）前後に加熱さ…の本数）等が選定されている。そして、熱風は煙突２２、２２から外部に排出される。この際、ブロアー２３によっても吸気される。
【００３６】
一方、固形の廃プラスチック（ポリエチレン、ポリステロール、塩化ビニル等）Ｐ…はホッパー１２に投入される。この際、大きな廃プラスチックはクラッシャ５１により小さく砕かれる。また、回転駆動部１１を作動させてスクリューコンベア７を回転させる。これにより、ホッパー１２に投入された固形の廃プラスチックＰ…はスクリューコンベア７により移送され、槽本体２の内部に供給される。スクリューコンベア７の回転速度は任意に制御することにより槽本体２に対する廃プラスチックＰ…の供給量を調整できる。
【００３７】
また、槽本体２の内部に供給された廃プラスチックＰ…は、槽本体２の底部に落下し、槽本体２の最下部に配した比較的低温の加熱管４ｃ、４ｃにより加熱され、溶解する。溶解した廃プラスチックＬは槽本体２の内部に備えられるとともに、増加に伴って溶解した廃プラスチックＬの液面が上昇する。そして、上昇した液面が最上部の加熱管４ａ、４ａに達すれば、高温の加熱管４ｂ、４ａにより加熱され、廃プラスチックＬは熱分解することにより気化する。なお、廃プラスチックＬの上面に浮遊する炭化物等の異物は、スクリューコンベア７により異物回収部９により回収されるとともに、廃プラスチックＬの上面の攪拌と浄化が行われ、分解ガスの発生効率が高められる。
【００３８】
他方、気化した分解ガスはダクト１６を通ってスクラバー５２に供給され、混在する塩素ガスが中和される。さらに、分解ガスはスクラバー５２からコンデンサー５４に供給され、冷却されることにより、重油（Ａ重油相当）に液化される。コンデンサー５４は冷却機５５から送られる冷却液により常時冷却される。そして、得られた重油は油水分解槽５７に供給される。油水分解槽５７では水と重油が分離され、重油はフィルター５８により不純物の除去が行われた後、貯蔵タンク５９に供給されて貯蔵されるとともに、一部は熱風発生装置２１に供給されて熱風発生装置２１の燃料に使用される。
【００３９】
なお、夜間等において液化還元装置１の運転を停止している期間では、保温装置３０により、熱分解槽２を保温する。この場合、保温用オイルＣは、加熱部３３により７０〜４００℃の温度に加熱され、配管３５を介して保温部３２を構成する外板１４と槽本体３間の空間Ｓに供給されるとともに、空間Ｓ内の保温用オイルＣは配管３７を介して加熱部３３に戻される。これにより、槽本体３内に残留する廃プラスチックＬは保温され、運転再開時の立上げ時間を大幅に短縮することができる。
【００４０】
【実施例２】
実施例２においては、図６に示すように、ホッパー１２を、槽本体３の側面と接続させた状態にて設けている。このような構成によって、廃プラスチックＰ…は、実施例１の場合と異なり、当初から槽本体３の熱分解部分に投入することができる。尚、図６では、ホッパー１２が、槽本体３の側面に斜方向に接続されているが、実施例２の構成は必ずしもこのような構成に限定される訳ではなく、入口を垂直方向とし、槽本体３との接続部分を水平方向とするような構成も当然に可能である。実施例２においては、溶解した廃プラスチックＬは、ホッパー１２の中途部位まで及んでおり、投入した廃プラスチックＰ…を速やかに槽本体３に挿入するためには、ホッパー１２から槽本体３に向かって設けられた（図６の場合には、斜方向に沿って設けられ）スクリューコンベア７１によって実現することができる。
【００４１】
実施例２では、前記のように、槽本体３の溶解部分に側部から挿入されるが、このような挿入された廃プラスチックＰ…を、槽本体内部に移転するためには、図１の場合と同様、スクリューコンベア７を設けるが、その位置は、ホッパー１２の槽本体３に対する入口付近から、当該入口と相対する側面方向に設けることになる。
【００４２】
このようなスクリューコンベア７を設けることに代えて、図７に示すように、ホッパー１２の槽本体３に対する入口付近を回転通過し、かつ回転方向が凹型に湾曲している回転翼７を設け、これによって、槽本体３に投入された廃プラスチックＰ…を、溶解部分全体にわたって配置することが可能である。
【００４３】
実施例２においても、高温の上部の加熱管と、これより低温の下部の加熱管とを連通状態とするための構成としては、図６に示すように、槽本体３に対し、熱風発生装置２１が配置されている側及びその反対側にそれぞれ加熱管の入口及び出口が存在し、かつ槽本体の外側に位置し、しかも外板１４によって囲まれている保温部３２を設け、加熱管４ａ、４ｂ、４ｃの入口及び出口を、保温部３２と連通状態としている。
【００４４】
このような構成によって、熱風は、概略
上側の加熱管４ａ→保温部３２→加熱管４ｂ→保温部３２→加熱管４ｃ及び加熱管４ｄ→保温部３２→煙突
の順序にて移動し、かつ移動の順序に従って、順次温度が低下することになる。
なお、加熱管４ａ…の外周面に対する液体ガラス槽の塗布、油化還元装置１の全体構成及び全体動作については、実施例１の場合と同様なので、その説明は省略する。
【００４５】
【実施例３】
一般に、プラスチックＰ…の溶解段階よりも、溶解したプラスチックＬの熱分解段階の方が、多量の熱量を消費する。
【００４６】
実施例３では、このような状況に即して、上側の熱分解部分の加熱管４ａの径を、溶解部分の加熱管４ｂ、４ｃの各径よりも大きく設計している。
【００４７】
尤も、中間位置にある加熱管４ｂを、加熱管４ａと加熱管４ｃ及び４ｄとの各径に対し、中間程度の大きさに設計することによって、順次速やかな溶解状態から熱分解状態への移行を促進することも可能である。
【００４８】
さらには、前記の如き、必要な熱容量の相違に応じて、熱分解部分に位置している上側の加熱管４ａを水平方向にジグザグ状に折曲させる設計も可能である。
【００４９】
このように、熱分解部分の上側の加熱管４ａを太く設計するかジグザグ状態とすることによって、特に実施例１の場合のように、下側の幅に対し上側の幅を広く設計する構成においては、加熱管４ａからの熱の輻射を、熱分解部分において、速やかに均一に実現することが可能となる。
【００５０】
【発明の効果】
以上の如き構成による本発明においては、以下の如き顕著な効果を奏する。
【００５１】
（１）熱分解槽は溶解槽を兼用するため、装置全体の単純化及び小型コンパクト化を実現できるとともに、大幅なコストダウンとメンテナンスの容易化を図ることができる。
【００５２】
（２）廃プラスチックに対する処理速度が速められるため、重油の生産性及び生産時の経済性を飛躍的に高めることができる。
【００５３】
（３）実施例１、同２に示すように、槽本体内にスクリューコンベアを設けることによって、廃プラスチック槽本体内における均一な配置、さらには、溶解並びに熱分解を効率的に行うことができ、就中、実施例１のように、スクリューコンベアを槽本体の上側に設けた場合には、溶解した廃プラスチックの上面の攪拌と浄化が行われることにより分解ガスの発生効率を高めることができる。
【００５４】
【発明が解決しようとする課題】
しかし、上述した従来における廃プラスチックの油化還元装置は、次のような解決すべき課題が存在した。
【００５５】
【図面の簡単な説明】
【図１】  本実施例１に係る油化還元装置の要部を構成する熱分解槽の断面側面図。
【図２】  同熱分解槽の断面正面図。
【図３】  同熱分解槽における加熱管の一部断面図。
【図４】  同油化還元装置の全体構成を示すブロック系統図。
【図５】  同油化還元装置に備える保温装置のブロック系統図。
【図６】  本実施例２に係る油化還元装置の要部を構成する熱分解槽の構成を示す断面側面図。
【図７】  実施例２において、槽本体内に回転翼を設けた状況を示す断面上面図。
【符合の説明】
１      油化還元装置
１４      外板
２      熱分解槽
３      槽本体
３２      保温部
３ｓ    槽本体の前面部
３ｔ    槽本体の底面部
４ａ    加熱管
４ｂ    加熱管
４ｃ    加熱管
５      加熱機構
６      連続管
７      スクリューコンベア又は回転翼
７ｄ    スクリューコンベアの下部
７１      ホッパー内のスクリューコンベア
８      供給部
９      異物回収部
Ｐ…    廃プラスチック
【図１】
0004031099.tif 000002
【図２】
0004031099.tif 000003
【図３】
0004031099.tif 000004
【図４】
0004031099.tif 000005
【図５】
0004031099.tif 000006
【図６】
0004031099.tif 000007
【図７】
0004031099.tif 000008